(57)【特許請求の範囲】
【請求項１】
巻上機及びそらせ車に主ロープを巻き掛け、この主ロープの一端にエレベーターかごを吊り下げ、他端につり合いおもりを吊り下げ、上記巻上機の駆動により、上記エレベーターかごと上記つり合いおもりが互いに反対方向に昇降するロープトラクション方式エレベーター装置において、
上記つり合いおもりに上端部が吊り下げられ、上記主ロープの重量の不均衡を補償するコンペンケーブル、及びこのコンペンケーブルの下端部を巻き付けるドラムを有し、昇降路下部のピット部に設置された電動機を備え、上記ドラムと上記電動機の動力との間に、ある一定以上のトルクがかかると上記ドラムに滑りが生じ動力のトルク調節なしで上記コンペンケーブルに常に一定の張力をかけることを特徴とするエレベーター装置。
【請求項２】
昇降路下部のピット部に設置された巻上機に主ロープを巻き掛け、この主ロープの一端にエレベーターかごを吊り下げ、他端につり合いおもりを吊り下げ、上記巻上機の駆動により、上記エレベーターかごと上記つり合いおもりが互いに反対方向に昇降するロープトラクション方式エレベーター装置において、
上記つり合いおもりに上端部が吊り下げられ、上記主ロープの重量の不均衡を補償するコンペンケーブル、及び上記巻上機に連結され上記コンペンケーブルの下端部を巻き付けるドラムを備え、上記ドラムと上記巻上機の動力との間に、ある一定以上のトルクがかかると上記ドラムに滑りが生じ動力のトルク調節なしで上記コンペンケーブルに常に一定の張力をかけることを特徴とするエレベーター装置。
【発明の詳細な説明】
【技術分野】
【０００１】
この発明は、ロープトラクション式エレベーターに係わり、エレベーターかごを巻き上げる主ロープの重量の不均衡を補償するコンペンケーブルを有するエレベータ装置に関する。
【背景技術】
【０００２】
従来のロープトラクション方式のエレベーター装置は、特許文献１に示されたように巻上機及びそらせ車に主ロープを巻き掛け、この主ロープの一端にはエレベーターかごを吊り下げ、他端には吊り合いおもりを吊り下げ、巻上機の駆動により、エレベーターかごと吊り合いおもりが互いに反対方向に昇降する。
ところが、このエレベーターかごと吊り合いおもりの昇降により、主ロープのエレベーターかご側と吊り合いおもり側の長さが変化し、同様に制御ケーブルのエレベーターかご下の長さに変化が生じると、巻上機に加わるエレベーターかご側と吊り合いおもり側との吊り下げ荷重が、エレベーターかご側と吊り合いおもり側の主ロープの長さの差だけ荷重の偏りが生じ、この不吊り合いが無視出来ない大きさとなることがある。そこで、コンペンケーブルをエレベーターかごと吊り合いおもりの下に取付けることで不吊り合いを補償している。このコンペンケーブルは、コンペンケーブルの捩れなどをなくすための張り車やコンペンケーブルの振れを防ぐケーブルガイド等を設けて構成されている。
【０００３】
【特許文献１】特開平６−８０３４６号公報（図４）
【発明の開示】
【発明が解決しようとする課題】
【０００４】
特許文献１に示された従来のエレベーター装置は、主ロープの偏りによる巻上機に加わるエレベーターかご側と吊り合いおもり側とのつり下げ荷重の不吊り合いが無視できない場合、吊り合いおもり側とエレベーターかご側に跨ってコンペンケーブルを配する必要があり、エレベーターかごと吊り合いおもりとのコンペンケーブルを取付ける幅は、騒音や動特性に関する推奨幅があるため、エレベーターかごと吊り合いおもりのレイアウトによりコンペンケーブルの取付位置を調節しなくてはならない。又、コンペンケーブルの捩れや振れが生じないよう、張り車やケーブルガイドといった部品が必要であった。
更に、従来のコンペンケーブルは、エレベーターかご、おもりの両側に配設する構造であり、例えばエレベーターかご側が上昇した場合、主ロープが吊り合いおもり側と比べて短くなり、荷重が小さくなるのを補償するために、コンペンケーブルによりエレベーターかご下のつり下げ重量を増加させる構造であり、エレベーターかご側が上昇するほどコンペンケーブルによる荷重が増加し、エレベーターかご側が下降するほどコンペンケーブルによる荷重は減少する。しかし、エレベーターかご側のみに取付けられ、エレベーターかごが上昇するほどエレベーターかご下のつり下げ長さが増す制御ケーブルによって生ずる、所謂エレベーターかご側と吊り合いおもり側とのつり下げ荷重の不吊り合いは、従来のコンペンケーブルでは解消することができなかった。
この発明は、これらの諸問題を解決したものである。
【課題を解決するための手段】
【０００５】
この発明に係わるエレベーター装置は、巻上機及びそらせ車に主ロープを巻き掛け、この主ロープの一端にエレベーターかごを吊り下げ、他端につり合いおもりを吊り下げ、上記巻上機の駆動により、上記エレベーターかごと上記つり合いおもりが互いに反対方向に昇降するロープトラクション方式エレベーター装置において、
上記つり合いおもりに上端部が吊り下げられ、上記主ロープの重量の不均衡を補償するコンペンケーブル、及びこのコンペンケーブルの下端部を巻き付けるドラムを有し、昇降路下部のピット部に設置された電動機を備え、上記ドラムと上記電動機の動力との間に、ある一定以上のトルクがかかると上記ドラムに滑りが生じ動力のトルク調節なしで上記コンペンケーブルに常に一定の張力をかけるようにしたものである。
【発明の効果】
【０００６】
この発明のエレベーター装置によれば、エレベーターかご側コンペン吊手、張り車やケーブルガイドなしでコンペンケーブルを取付けることができ、更に、吊り合いおもり側のみにコンペンケーブルを配することでエレベーターかごの上下動によって生ずる制御ケーブルの不均衡重量もコンペンケーブルの単位重量を調節することで吊り合いを取ることができる。
又、この発明は、吊り合いおもり側のみにコンペンケーブルを配し、つり下げられたコンペンケーブルの下端部を電動機などの動力を用いてドラムに巻き取ることで、張り車やケーブルガイドなしでコンペンケーブルにテンションをかけ、コンペンケーブルの振れを防止し、一方、エレベーターかご側にコンペンケーブルを配する必要がなく、制御ケーブルを含めたロープ重量の不均衡を解消することができる。
又、吊り合いおもり側のみにコンペンケーブルを吊ることで、従来のエレベーターかご、吊り合いおもりの両側にコンペンケーブルを配設した構造よりも、吊り合いおもりの重量を軽減できる。
更に、コンペンケーブル９を巻き取るドラム１０と電動機（又は巻上機）の動力との間に、ある一定以上のトルクがかかるとドラム１０が滑り、動力のトルク調節なしでコンペンケーブル９に常に一定の張力をかけることができるようにしたので、ドラム１０や吊り合いおもり５のコンペンケーブル取付位置に多大な荷重がかからないようにできる。
【発明を実施するための最良の形態】
【０００７】
この発明は、吊り合いおもり側のみにコンペンケーブルを配し、つり下げられたたコンペンケーブルの下端部を電動機などの動力を用いてドラムに巻き取ることで、張り車やケーブルガイドなしでコンペンケーブルにテンションをかけ、制御ケーブルを含めたロープ重量の不均衡を解消したエレベーター装置である。
以下、図面に基づいて、この発明の各実施の形態を説明する。
なお、各図間において、同一符号は同一あるいは相当部分を示す。
【０００８】
実施の形態１．
図１はこの発明の実施の形態１であるロープトラクション方式エレベーター装置の概要を示す断面図である。
図１に示すエレベーター装置は、巻上機１及びそらせ車２に主ロープ３を巻き掛け、この主ロープの一端にエレベーターかご４を吊り下げ、他端に吊り合いおもり５を吊り下げ、巻上機１の駆動により、エレベーターかご４と吊り合いおもり５が互いに反対方向に昇降するロープトラクション方式のものである。
この発明の要部であり主ロープの重量の不均衡を補償するコンペンケーブル９は、吊り合いおもりの下側のみに配して、つり下げられ、そのコンペンケーブルの下端部を電動機１１などの動力を用いてドラム１０に巻き取ることで、張り車やケーブルガイドなしでコンペンケーブルにテンションをかけ、制御ケーブル６を含めたロープ重量の不均衡を解消するものである。
ドラム１０は、電動機１１を用いることで吊り合いおもりの上下運動に連動してコンペンケーブル９の長さを調節し、常にドラム１０に動力を伝えることでコンペンケーブル９にテンションを与え、張り車やケーブルガイドなしでもコンペンケーブル９の振れや捩れを防ぐ働きをする。なお、電動機１１及びこの電動機に直結したドラム１０などは、昇降路下部のピット部内に設置されている。なお、制御ケーブル６は、エレベーターかごと制御盤との間に懸架されている。
【０００９】
特許文献１の図４に示す従来構造のロープトラクション方式エレベータ（便宜上制御ケーブルを考慮せず）では、吊り合いおもりが最上階にある場合のコンペンケーブルの長さをＬ、最下階にある場合のコンペンケーブルの長さを０と仮定すると、
ａ（コンペンケーブルの単位長さ当り重量）＝ｂ（主ロープの単位長さ当りの重量）の時、巻上機にかかるエレベーターかご側の荷重と吊り合いおもり側の荷重はエレベーターかごの上下動にかかわらず吊り合いがとられている。又、エレベーターかご側と吊り合いおもり側の荷重が等しいとすると、吊り合いおもりの重量は、吊り合いおもりの重量＝エレベーターかご重量となる。
【００１０】
これに対し、この発明の実施の形態１であるロープトラクション方式エレベーター装置では、計算上の重量関係は、次のとおりである。
今、便宜上制御ケーブルを考慮せず、エレベーターかごが最上階にある場合の主ロープ長さを０、最下階にある場合の主ロープ長さをＬとし、吊り合いおもりが最上階にある場合のコンペンケーブル長さをＬ、吊り合いおもりが最下階にある場合のコンペンケーブル長さを０と仮定し、コンペンケーブルの単位長さあたりの重量をａ、主ロープの単位長さあたりの重量をｂとした場合、エレベーターかご重量Ｗ１，吊り合いおもりの重量Ｗ２として計算すると、ａ＝２×ｂを満たせば巻上機にかかるエレベーターかご側の荷重と吊り合いおもり側の荷重はエレベーターかごの上下動にかかわらず吊り合いがとれる。
又、エレベーターかご側と吊り合いおもり側の荷重が等しいとすると、吊り合いおもりの重量は、（吊り合いおもりの重量Ｗ２）＝（エレベーターかご重量Ｗ１）−ｂ×Ｌとなる。
【００１１】
このように、この実施の形態１によれば、エレベーターかご側にコンペンケーブルを取付けることなく、巻上機にかかるエレベーターかご側と吊り合いおもり側の主ロープの長さの差による荷重の不吊り合いを補償することができる。
さらに、エレベーターかご、おもり両側にコンペンケーブルを配した特許文献１の構造に対して、吊り合いおもり重量を軽くすることができ、計算上、巻き上げロープ単位重量×ロープ本数×昇降路行程の分、軽量化できるので吊り合いおもりの小型化が可能となる。
【００１２】
次に、図１に示すように、制御ケーブル６が昇降行程の中間からエレベーターかご下につり下げた構造の場合について説明する。この場合、エレベーターかご４が最上階にある場合の制御ケーブル６のエレベーターかご下つり下げ長さをＬ／２、エレベーターかご４が最下階にある場合の制御ケーブル６のエレベーターかご下つり下げ長さを０と仮定すると、制御ケーブルの単位長さ当りの重量をｃとした場合、ａ＝２×ｂ−ｃ／２を満たせば巻上機にかかるエレベーターかご側の荷重と吊り合いおもり側の荷重はエレベーターかごの上下動にかかわらず吊り合いがとれる。
【００１３】
このように、この実施の形態１によれば、従来のエレベーターかご側とおもり側にコンペンケーブルを取付けた構造ではできなかった、エレベーターかごの上下動により制御ケーブルのエレベーターかご下つり下げ長さの変位によって生ずる、巻上機１にかかるエレベーターかご側の荷重と吊り合いおもり側の荷重の不吊り合いの補償をコンペンケーブルの単位重量ａを調節することで行うことができる。
【００１４】
実施の形態２．
図２は、この発明の実施の形態２のエレベーター装置の概要を示す断面図である。
図２に示す実施の形態２のロープトラクション方式エレベーター装置では、巻上機１が、昇降路下部のピット部に設置され、コンペンケーブル９は、つり車１３を介し吊り下げられた吊り合いおもりの下側で設けられると共に巻上機のドラム部１０に巻きかけられ、巻上機１の動力を利用してコンペンケーブルの長さを調節し、コンペンケーブルにテンションをかけ、制御ケーブル６を含めたロープ重量の不均衡を解消するものである。
なお、エレベーターかご４は、つり車１２を介し吊り下げられている。
【００１５】
実施の形態３．
この発明の実施の形態３におけるエレベーター装置は、図１又は図２において、
コンペンケーブル９を巻き取るドラム１０と電動機（又は巻上機）の動力との間に、ある一定以上のトルクがかかるとドラム１０が滑り、動力のトルク調節なしでコンペンケーブル９に常に一定の張力をかけることができるようにしたものである。
このように構成することにより、ドラム１０や吊り合いおもり５のコンペンケーブル取付位置に多大な荷重がかからないようにできる。
【００１６】
実施の形態４．
図３は、この発明の実施の形態４におけるエレベーター装置の概要を示す断面図である。
この実施の形態４におけるエレベーター装置は、巻上機１及びそらせ車２に主ロープ３を巻き掛け、この主ロープの一端にエレベーターかご４を吊り下げ、他端につり合いおもり５を吊り下げ、巻上機１の駆動により、エレベーターかご４とつり合いおもり５が互いに反対方向に昇降するロープトラクション方式のエレベーター装置において、主ロープ３の重量の不均衡を補償するコンペンケーブル９の上端部を、次のようにつり合いおもり５の下側に取付けたものである。
すなわち、つり合いおもり５につり下げられたコンペンケーブル９は、その下端部を拘束することなくフリーな状態で昇降路下部のピット部に設置したコンペンケーブル収納箱１４内にとぐろ状に収納、又はピット部にとぐろ状に直置きする様なされている。この結果、構造を簡素化できる。
【図面の簡単な説明】
【００１７】
【図１】この発明の実施の形態１であるエレベーター装置の概要を示す断面図である。
【図２】この発明の実施の形態２であるエレベーター装置の概要を示す断面図である。
【図３】この発明の実施の形態４であるエレベーター装置の概要を示す断面図である。
【符号の説明】
【００１８】
１  巻上機                      ２  そらせ車
３  主ロープ                    ４  エレベーターかご
５  吊り合いおもり              ６  制御ケーブル
９  コンペンケーブル            １０  ドラム
１１  電動機                    １２、１３  つり車
１４  コンペンケーブル収納箱
ａ  コンペンケーブルの単位長さ当り重量
ｂ  主ロープの単位長さ当りの重量
ｃ  制御ケーブルの単位長さ当りの重量。
【図１】
0004641738.tif 000002
【図２】
0004641738.tif 000003
【図３】
0004641738.tif 000004